(57)【要約】【課題】  この発明は、手動によってトイレットペーパーの先端を折り込むことを目的としたものである。【解決手段】  この発明は、三角状突縁部を有するベース板の一側に、前記三角状突縁部に対応して重なる三角突部を有する押え板を開閉自在に取り付け、該押え板の三角突部の二辺に夫々折込片を開閉自在に取り付けたことを特徴とするトイレットペーパー端折込器により目的を達成する。【選択図】  図１
2006141814.tif 000002
【特許請求の範囲】
【請求項１】
三角状突縁部を有するベース板の一側に、前記三角状突縁部に対応して重なる三角突部を有する押え板を開閉自在に取り付け、該押え板の三角突部の二辺に夫々折込片を開閉自在に取り付けたことを特徴とするトイレットペーパー端折込器。
【請求項２】
三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記三角状突縁部に、家紋などの刻印部を設置したことを特徴とするトイレットペーパー端折込器。
【請求項３】
三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記折込片は三角状とし、前記ベース板の裏面に付着した面ファスナーに対応する面ファスナー片を付着仮着用としたことを特徴とするトイレットペーパー端折込器。
【請求項４】
三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記折込片の蝶着部に、折込片を開く側へ付勢手段を設けたことを特徴とするトイレットペーパー端折込器。
【請求項５】
三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記折込片の一方の斜辺を、他方の折込片の一辺と同一長さまで延長したことを特徴とするトイレットペーパー端折込器。
【請求項６】
三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記ベース板の三角状突縁部に家紋などの刻印部を設置し、前記折込片は三角状とし、折込片を開く側へ付勢手段を設けると共に、折込片は折込時に仮着する手段を設けたことを特徴とするトイレットペーパー端折込器。
【請求項７】
ベース板と押え片に掛止手段を設けたことを特徴とする請求項１乃至６の何れか１つ記載のトイレットペーパー端折込器。
【発明の詳細な説明】
【技術分野】
【０００１】
この発明は、トイレットペーパーの端部を折込み成形することを目的としたトイレットペーパー端折込器に関する。
【背景技術】
【０００２】
従来トイレットペーパーホルダーに、開閉板を取り付けて、トイレットペーパーの端部を折込むようにした提案がある。
【特許文献１】実開昭６３−４７７９６
【特許文献２】実公平３−２７５０９
【発明の開示】
【発明が解決しようとする課題】
【０００３】
前記従来の考案は、何れもトイレットペーパーホルダーの紙切板に折込用の開閉板が取り付けられている。従って、このようなトイレットペーパーホルダーを使用しなければ、トイレットペーパーの先端部を折込むことができない問題点があった。即ちトイレットペーパーホルダーに折込用の開閉板を取り付けた特性があるので、この構造によって、そのトイレットペーパーホルダーに付けたトイレットペーパーの端部の折込みに専用されているので、他の構造のトイレットペーパーホルダーでは折り込みできない問題点があった。
【課題を解決するための手段】
【０００４】
この発明は、トイレットペーパーホルダーに関係なく、トイレットペーパーの端部を折込むことができるような折込器を開発することにより、１作業者１個の折込器で、容易に目的を達成できるようにしたものである。
【０００５】
また折込器は軽量、小型で、持ち運び容易に形成してあるので、使用が容易であるのみならず、作業者の負担にならず、かつ同一折込み状態を容易かつ迅速に達成することができる。従って従来特殊トイレットペーパーホルダーに限定されていた機能を汎用化することができた。
【０００６】
即ちこの発明は、三角状突縁部を有するベース板の一側に、前記三角状突縁部に対応して重なる三角突部を有する押え板を開閉自在に取り付け、該押え板の三角突部の二辺に夫々折込片を開閉自在に取り付けたことを特徴とするトイレットペーパー端折込器であり、三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記三角状突縁部に、家紋などの刻印部を設置したことを特徴とするトイレットペーパー端折込器である。
【０００７】
また、三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記折込片は三角状とし、前記ベース板の裏面に付着した面ファスナーに対応する面ファスナー片を付着仮着用としたことを特徴とするトイレットペーパー端折込器であり、三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記折込片の蝶着部に、折込片を開く側へ付勢手段を設けたことを特徴とするトイレットペーパー端折込器である。
【０００８】
更に、三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記折込片の一方の斜辺を、他方の折込片の一辺と同一長さまで延長したことを特徴とするトイレットペーパー端折込器であり、三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記ベース板の三角状突縁部に家紋などの刻印部を設置し、前記折込片は三角状とし、折込片を開く側へ付勢手段を設けると共に、折込片は折込時に仮着する手段を設けたことを特徴とするトイレットペーパー端折込器であり、ベース板と押え片に掛止手段を設けたものである。
【０００９】
この発明の折込器の材質は、金属板又はプラスチック板であるが、他の材質（例えば合板）を使用することができる。
【００１０】
この発明の折込器は、作業者が携帯して使用するのであるが、手順どおりに使用することにより、常時同一形状の折込端部を形成することができる。また一方の折込片の一辺を他方の折込片まで延長することによって、トイレットペーパーの端部が二重、四重になり、折込まれた端部が丈夫になるので折込みの目的を十分達成することができる。
【００１１】
この発明の折込器のベース板と、押え板を掛止しておけば、携帯中に開放するおそれがなく、また折込片を開放方向へ付勢しておけば、自動開放するので、操作が容易となる。
【００１２】
またベース板（又は押え板）に家紋などの刻印部を設けることにより、トイレットペーパー使用者に、興味をいだかせる利点がある。前記刻印部がインクパッドに当接できるようにすれば、押え板の開閉によって刻印部へインクをつけることができる。
【発明の効果】
【００１３】
この発明によれば、何れのトイレットペーパーの端部であっても、容易に折込成形することができるので、作業者の熟練度に関係がない利点がある。
【００１４】
また家紋を付することができるので、自然に持ち主を判らせる利点があり、折込片に付勢すれば、開く手間を省き、面ファスナーなどの仮着手段を設ければ、押え状態を続けることもできる。
【００１５】
また一方の折込片の一辺を他方の折込片まで延長することによって、四重の折込みができる利点もあるなどの諸効果がある。
【発明を実施するための最良の形態】
【００１６】
三角状突縁部を有するベース板の一側に、前記三角状突縁部に対応して重なる三角突部を有する押え板を開閉自在に取り付け、該押え板の三角突部の二辺に夫々折込片を開閉自在に取り付け、前記ベース板の三角状突縁部に家紋などの刻印部を設置し、前記折込片は三角状とし、折込片を開く側へ付勢手段を設けると共に、折込片は折込時に仮着する手段を設けたことを特徴とするトイレットペーパー端折込器、かつベース板と押え板の掛止手段を設けてこの発明のトイレットペーパー端折込器を完成した。
【００１７】
前記折込器によれば、作業者が携帯して、トイレットペーパー端に同一形状の三角状を形成し、その引出しを容易にしたものである。
【００１８】
特に同一形状に形成できること、トイレットペーパー端部が二重折り、四重折りになっていて、引出しが容易となる利点がある。
【実施例１】
【００１９】
この発明の実施例を図１、２、３、４等について説明すると、ステンレス製で、三角状突縁部１ａを有するベース板１の一側に、前記三角状突縁部に対応して重なる三角突部２ａを有する押え板２を蝶番３を介して開閉自在に蝶着し、該押え板２の三角突部２ａの二辺２ｂ、２ｃに夫々折込片４、５を軸６、７で開閉自在かつスプリング８、９で付勢して取り付ける。
【００２０】
前記ベース板１の三角状突縁部の三角部に、家紋の刻印版１０を固定すると共に、三角状突縁部の縁部には、押え板２の突起１１、１１との係止孔１２、１２が設けてある。
【００２１】
前記押え板２に取り付けた折込片４、５の裏面には、ベース板１の裏面に固定した面ファスナー１３と係止する面ファスナー１４、１５が設けてあり、この発明の折込器２０を構成している。図中１６、１６ａは押え板２に固定した当接片（例えばゴム製）、１７はベース板１の一側へ固定した案内片、１８は同じく押え板２の端縁と係止する出入自在の係止片、１９は押え板の把手、２１は蝶番の取付軸である。前記当接片１６ａを刻印版１０のインクパッドにすれば、刻印に着色することができる。
【００２２】
この発明の実施例において、図６、７によりその使用方法を説明すると、まず、図６中（１）の状態から押え板２を開き（図６−（２））、トイレットペーパー２２をベース板１上へ入れる。ついで押え板２を閉め、折込片４を、ベース板１の下方へ折り込む（図６−（３））。次に折込片４を元の位置に戻し、折込片５をベース板の下へ折り込み（図６−（４））、折込片５が元の位置に戻るので（図６−（５））、押え板２を開くと（図６−（６））、折り込まれたトイレットペーパー２２ａが残っているので、これを矢示２３の方向へ抜き取れば、家紋印２４のついた折込トイレットペーパー２２ｃができる。
【００２３】
前記において、トイレットペーパー２２は、ベース板１の下側になっているので、トイレットペーパーを裏面から見れば図７のようになる。
【００２４】
まず、トイレットペーパー２２の先端側に折込片４を折目２４（ベース板の縁が案内になる）に沿って矢示２５のように折り曲げると（三角部２２ａ）、図７（１）から（２）のようになる。ついで折目２７に沿って矢示２６のように三角部２２ｂを折り曲げると、図７−（３）のような形状に折られる。即ち三角突部２２ｃは四重となり、きわめて摘み易くなる。
【００２５】
前記図６の手順によって、図７のようにトイレットペーパーが容易に折り込まれるので、好ましい状態で使用することができる。
【図面の簡単な説明】
【００２６】
【図１】この発明の実施例の平面図。
【図２】同じく側面図。
【図３】同じく裏面図。
【図４】同じく押え板を開いた平面図。
【図５】同じく斜視図。
【図６】同じく折込順序を示す流れ図。
【図７】同じくトイレットペーパーを裏面から見た折込図。
【符号の説明】
【００２７】
１  ベース板
２  押え板
３  蝶番
４、５  折込片
６、７  軸
８、９  スプリング
１０  刻印版
１１  突起
１２  係止孔
１３、１４、１５  面ファスナー
１６  当接片
【図１】
2006141814.tif 000003
【図２】
2006141814.tif 000004
【図３】
2006141814.tif 000005
【図４】
2006141814.tif 000006
【図５】
2006141814.tif 000007
【図６】
2006141814.tif 000008
【図７】
2006141814.tif 000009